【事件の表示】
　特許第２７４１６５６号「簡易スタジオ」の特許に対する特許異議の申立てについて、次のとおり決定する。
【結論】
　訂正を認める。
　特許第２７４１６５６号の特許を維持する。
【理由】
　【１】　手続きの経緯
　特許第２７４１６５６号の請求項１に係る発明は、平成６年７月２２日に特許出願がなされ、平成１０年１月３０日に特許の設定登録がなされ、その後、特許異議申立人有限会社アール・エフ・シーにより特許異議の申立てがなされ、取消理由通知がなされ、その指定期間内である平成１１年４月１６日に訂正請求がなされたものである。
　【２】　訂正請求について
　［２−１］　訂正の内容
　本件の訂正請求は、訂正前の明細書の請求項１を下記ａのように訂正すると共に、発明の詳細な説明の記載を下記のｂのように訂正するものである。
　（ａ）特許明細書の特許請求の範囲の請求項１に係る記載（特許公報第１頁第１欄第２行〜第９行）を訂正明細書の請求項１に係る記載のとおり、
「【請求項１】　遮音性能を有するドアパネル、壁パネル、床パネル、天井パネルからなり、ドアパネルと壁パネルは相互に接合するものであるが、その接合面の一方に突起としての金属製のダボを突設し、他方にこのダボを嵌め入れるダボ穴を設け、前記ダボ穴を設けた側に鉤型または輪状の受け金具を取付け、他方、前記ダボを設けた側に受け金具に掛着して締結する締結金具を設け、これらダボ、ダボ穴、受け金具、締結金具は上下３個所とし、床パネルを囲むようにドアパネルと複数の壁パネルを相互にダボとダボ穴の嵌合、および、受け金具とこの受け金具に掛着して締結する締結金具との組み合わせで看脱自在に連結させ、天井パネルは換気孔を有するが、この換気孔には消音キャップを着脱自在に嵌め、これらドアパネル、壁パネルの上端で囲まれる部分に天井パネルを嵌込み載置したことを特徴とする簡易スタジオ。」
と訂正する。
　（ｂ）特許明細書の段落【０００８】（特許公報第２頁第３欄第１２〜１９行）の記載を、
「【課題を解決するための手段】
　本発明は前記目的を達成するため、遮音性能を有するドアパネル、壁パネル、床パネル、天井パネルからなり、ドアパネルと壁パネルは相互に接合するものであるが、その接合面の一方に突起としての金属製のダボを突設し、他方にこのダボを嵌め入れるダボ穴を設け、前記ダボ穴を設けた側に鉤型または輪状の受け金具を取付け、他方、前記ダボを設けた側に受け金具に掛着して締結する締結金具を設け、これらダボ、ダボ穴、受け金具、締結金具は上下３個所とし、床パネルを囲むようにドアパネルと複数の壁パネルを相互にダボとダボ穴の嵌合、および、受け金具とこの受け金具に掛着して締結する締結金具との組み合わせで着脱自在に連結させ、天井パネルは換気孔を有するが、この換気孔には消音キャップを着脱自在に嵌め、これらドアパネル、壁パネルの上端で囲まれる部分に天井パネルを嵌込み載置したことを要旨とするものである。」
と訂正する。
［２−２］　訂正の適否についての検討・判断
　ア、訂正の目的の適否、新規事項の有無及び拡張・変更の存否
　訂正事項ａについて
　上記訂正事項ａに係る訂正は、特許請求の範囲の請求項１に係る発明の欠くことのできない事項であるドアパネルと壁パネルとの接合部の構成を段落【００１４】の記載（特許公報第２頁第３欄第４９行〜同頁第４欄第６行参照）に基づき、又、天井パネルの構成を段落【００１７】の記載（特許公報第２頁第４欄第１２〜１７行参照）に基づいてより具体的に限定するものであるから、特許請求の範囲の減縮を目的とするものであって、願書に添付した明細書又は図面に記載した事項の範囲内の訂正であり、特許請求の範囲を拡張するものでも変更するものでもない。
　訂正事項ｂについて
　上記訂正事項ｂに係る訂正は、特許請求の範囲の訂正に伴う訂正であって、明りょうでない記載の釈明にあたり、又願書に添付した明細書又は図面に記載した事項の範囲内の訂正であり、さらに実質上特許請求の範囲を拡張し、又は変更するものではない。
イ、　独立特許要件の判断
　（引用刊行物）
　訂正明細書の請求項１に係る発明（以下、「本件請求項１に係る発明」という。）に対して、当審が通知した取消理由で引用した
　刊行物１：音響リフォーム株式会社「ポケット・スタジオ」カタログには、
　遮音性能を有するドア用パネル、壁用パネル、床用パネル、天井用パネルから成り、ドア用パネルと壁用パネルは相互に接合するものであるが、床用パネルを囲むようにドア用パネルと複数の壁用パネルを看脱自在に連結させ、これらドア用パネル、壁用パネルの上端で囲まれる部分に天井用パネルを嵌込み載置したポケット・スタジオについて記載されており、
　刊行物２：株式会社リットーミュージック発行の「リズム＆ドラム・マガジン」平成６年１９９４年２月号第５３号には、
　ポケット・スタジオの斜め正面からの写真、広さが選択可能である旨の記載、各種間取図、分解組み立て自在である旨の記載、遮音度の選択可能である旨の記載及びポケット・スタジオの用途についての記載のある広告が掲載されており、
　刊行物３：株式会社リットーミュージック発行の「リズム＆ドラム・マガジン」平成６年（１９９４年）４月号第５４号には、
　ポケット・スタジオの扉を開放した正面からの写真と、刊行物２と同趣旨の記載がある広告が掲載されており、
　刊行物４：株式会社リットーミュージック発行の「リズム＆ドラム・マガジン」平成６年（１９９４年）６月号第５５号には、刊行物３と同様の写真と、広さが選択可能であることそれを示す各種図面が記載された広告が掲載されており、
　刊行物５：株式会社プレイヤーコーポレーション発行の「ＹＭＭプレイヤー」平成６年（１９９４年）２月号には、刊行物２とほぼ同じ内容の広告が掲載されており、
刊行物６：株式会社プレイヤーコーポレーション発行の「ＹＭＭプレイヤー」平成６年（１９９４年）７月号には、上記刊行物４とほぼ同じ内容の広告が掲載されており、
刊行物７：株式会社リットーミュージック発行の「ギター・マガジン」平成６年（１９９４年）７月号には、上記刊行物４とほぼ同じ記載内容の広告が掲載されている。
　刊行物１には発行年月日の記載がなく、発行年月日は不明であるが、
「このカタログの記載内容は平成６年２月現在のものです。」の記載と、
　本件の出願前に日本国内で公然と頒布された刊行物２〜７に掲載されている「ポケット・スタジオ」の広告の記載内容から、刊行物１に掲載されている「ポケット・スタジオ」と、刊行物２〜７に掲載されている「ポケット・スタジオ」とは同一の商品であると認められることから、
　音響リフォーム株式会社の「ポケット・スタジオ」のカタログである刊行物１が本件出願前に日本国内で頒布されたものであると認める。
　（対比・判断）
　そこで、本件請求項１に係る発明と刊行物１に記載されているものとを対比すると、
　刊行物１に記載のポケット・スタジオの組立時の写真は、本件特許公報の第７図に相当し、
　分解時の構成を示す写真は本件特許公報の第８図に相当し、
　バリエーションを示す図は、本件の特許公報の第９図に相当すると共に、
　組立時の写真から壁用パネル相互間は締結金具により締結組立てされている構成が示され、
　ドア用パネル、壁用パネル、天井用パネルには拡散吸音スポンジが内張りされている図面も掲載されていることから、
　刊行物１に記載のポケット・スタジオは、本件請求項１に係る発明の簡易スタジオに相当し、
　刊行物１に記載のものは、本件請求項１に係る発明と、
「遮音性能を有するドアパネル、壁パネル、床パネル、天井パネルからなり、ドアパネルと壁パネルは相互に接合するものであるが、床パネルを囲むようにドアパネルと複数の壁パネルを受け金具とこの受け金具に掛着して締結する締結金具との組み合わせで看脱自在に連結させ、これらドアパネル、壁パネルの上端で囲まれる部分に天井パネルを嵌込み載置した簡易スタジオ」
である点で一致し、
　刊行物１には、本件請求項１に係る発明に欠くことのできない事項である
「ドアパネルと壁パネルは相互に接合するものであるが、その接合面の一方に突起としての金属製のダボを突設し、他方にこのダボを嵌め入れるダボ穴を設け、前記ダボ穴を設けた側に鉤型または輪状の受け金具を取付け、他方、前記ダボを設けた側に受け金具に掛着して締結する締結金具を設け、これらダボ、ダボ穴、受け金具、締結金具は上下３個所」とした点の構成、及び「天井パネルは換気孔を有するが、この換気孔には消音キャップを着脱自在に嵌め」た点の構成については記載がされておらず、又それを示唆する記載もなく、両者は相違している。
　また、上記刊行物２〜７には、
　ポケット・スタジオの正面及び斜め正面からの写真、
　広さが選択可能である旨の記載と各種間取図、
　分解組み立て自在であること、
　遮音度が選択可能であり、
　各種用途の紹介
等についての記載はなされていると認められるが本件請求項１に係る発明のドア用パネル、壁用パネル、床用パネル、天井用パネルの各構成部材の具体的構造、接合方法等についての記載及びそれを示唆する記載もなされていないものと認める。
　そして、本件請求項１に係る発明は、上記の刊行物１〜７に記載のものとは相違する構成事項により、
「場所をとらず、室内での使用が可能であり、また、シンプルな構造で、組立てや分解が簡単にでき、移動したり、使用後の片付けが容易に行え、しかも、耐久性に富み、防音効果も高い」
という明細書記載の顕著な効果を奏するものである。
　以上のことから、本件請求項１に係る発明は、刊行物１に記載の発明と同一であるとも、刊行物１〜７に記載されている発明に基づいて当業者が容易に発明をすることができたものであるとすることもできない。
　従って、本件請求項１に係る発明は特許出願の際独立して特許を受けることができるものといえる。
　ウ、むすび
　以上のとおりであるから、上記訂正は、平成６年法律第１１６号附則第６条第１項の規定によりなお従前の例によるとされる、特許法第１２０条の４第２項の規定および同条第３項で準用する同法第１２６条第２〜４項の規定に適合するので、当該訂正を認める。
　【３】　特許異議の申立てについて
　［３−１］　特許異議申立ての理由の概要
　特許異議申立人有限会社アール・エフ・シーは甲第２号証〜甲第８号証（甲第１号証は、本件特許公報である。）を提示し、
　本件請求項１に係る発明は、甲第２号証〜甲第８号証に記載されている発明と同一であるから、特許法第２９条第１項第３号の規定により特許を受けることができないものである旨主張している。
　［３−２］　判断
　甲第２号証〜甲第８号証は上記［２−２］記載の刊行物１〜刊行物７にそれぞれ相当するから、
　上記［２−２］のイ、独立特許要件の（対比・判断）に記載の理由と同じ理由により、本件請求項１に係る発明は、甲第２号証〜甲第８号証に記載の発明と同一であるとも、甲第２号証〜甲第８号証に記載されている発明に基づいて当業者が容易に発明をすることができたものであるとすることもできない。
　【４】　むすび
　従って、特許異議申立人の主張する特許゛異議の申立ての理由及び証拠方法によっては、本件請求項１に係る発明の特許を取り消すことはできない。
　また、他に本件請求項１に係る発明の特許を取り消すべき理由を発見しない。
　よって、結論のとおり決定する。
　平成１１年６月２１日（１９９９．６．２１）
【異議決定日】
平成１１年６月２１日（１９９９．６．２１）
【訂正の要旨】
　本件訂正は、特許請求の範囲の減縮及び明りょうでない記載の釈明を目的として、願書に添付された明細書の記載を下記Ａ、Ｂのように訂正するものである。
　Ａ．本件特許明細書の特許請求の範囲の請求項１の記載、
「【請求項１】　遮音性能を有するドアパネル、壁パネル、床パネル、天井パネルからなり、床パネルを囲むようにドアパネルと複数の壁パネルを相互にダボとダボ穴の嵌合、および、受け金具とこの受け金具に掛着して締結する締結金具との組み合わせで看脱自在に連結させ、これらドアパネル、壁パネルの上端で囲まれる部分に天井パネルを嵌込み載置したことを特徴とする簡易スタジオ。」
を
「【請求項１】　遮音性能を有するドアパネル、壁パネル、床パネル、天井パネルからなり、ドアパネルと壁パネルは相互に接合するものであるが、その接合面の一方に突起としての金属製のダボを突設し、他方にこのダボを嵌め入れるダボ穴を設け、前記ダボ穴を設けた側に鉤型または輪状の受け金具を取付け、他方、前記ダボを設けた側に受け金具に掛着して締結する締結金具を設け、これらダボ、ダボ穴、受け金具、締結金具は上下３個所とし、床パネルを囲むようにドアパネルと複数の壁パネルを相互にダボとダボ穴の嵌合、および、受け金具とこの受け金具に掛着して締結する締結金具との組み合わせで看脱自在に連結させ、天井パネルは換気孔を有するが、この換気孔には消音キャップを着脱自在に嵌め、これらドアパネル、壁パネルの上端で囲まれる部分に天井パネルを嵌込み載置したことを特徴とする簡易スタジオ。」
と訂正し、
（Ｂ）特許明細書の段落【０００８】（特許公報第２頁第３欄第１２〜１９行）の記載
「【課題を解決するための手段】
　本発明は前記目的を達成するため、遮音性能を有するドアパネル、壁パネル、床パネル、天井パネルからなり、床パネルを囲むようにドアパネルと複数の壁パネルを相互にダボとダボ穴の嵌合、および、受け金具とこの受け金具に掛着して締結する締結金具との組み合わせで着脱自在に連結させ、これらドアパネル、壁パネルの上端で囲まれる部分に天井パネルを嵌込み載置したことを要旨とするものである。」
を、
「【課題を解決するための手段】
　本発明は前記目的を達成するため、遮音性能を有するドアパネル、壁パネル、床パネル、天井パネルからなり、ドアパネルと壁パネルは相互に接合するものであるが、その接合面の一方に突起としての金属製のダボを突設し、他方にこのダボを嵌め人れるダボ穴を設け、前記ダボ穴を設けた側に鉤型または輪状の受け金具を取付け、他方、前記ダボを設けた側に受け金具に掛着して締結する締結金具を設け、これらダボ、ダボ穴、受け金具、締結金具は上下３個所とし、床パネルを囲むようにドアパネルと複数の壁パネルを相互にダボとダボ穴の嵌合、および、受け金具とこの受け金具に掛着して締結する締結金具との組み合わせで着脱自在に連結させ、天井パネルは換気孔を有するが、この換気孔には消音キャップを着脱自在に嵌め、これらドアパネル、壁パネルの上端で囲まれる部分に天井パネルを嵌込み載置したことを要旨とするものである。」
と訂正するものである。
（５４）【発明の名称】
簡易スタジオ
（５７）【特許請求の範囲】
　【請求項１】　遮音性能を有するドアパネル、壁パネル、床パネル、天井パネルからなり、ドアパネルと壁パネルは相互に接合するものであるが、その接合面の一方に突起としての金属製のダボを突設し、他方にこのダボを嵌め入れるダボ穴を設け、前記ダボ穴を設けた側に鉤型または輪状の受け金具を取付け、他方、前記ダボを設けた側に受け金具に掛着して締結する締結金具を設け、これらダボ、ダボ穴、受け金具、締結金具は上下３個所とし、床パネルを囲むようにドアパネルと複数の壁パネルを相互にダボとダボ穴の嵌合、および、受け金具とこの受け金具に掛着して締結する締結金具との組み合わせで着脱自在に連結させ、天井パネルは換気孔を有するが、この換気孔には消音キャップを着脱自在に嵌め、これらドアパネル、壁パネルの上端で囲まれる部分に天井パネルを嵌込み載置したことを特徴とする簡易スタジオ。
【発明の詳細な説明】
　【０００１】
　【産業上の利用分野】
　本発明は、楽器の練習を行うのに室内等でも簡単に組立てて設置でき、また、簡単に分解して収納できる簡易スタジオに関するものである。
　【０００２】
　【従来の技術】
　楽器の練習を行うのに適する防音室を構成するには、従来は壁、床、天井を遮音材、防音材をもって部屋を形成し、室内の音が外部に漏れないようにしている。
　【０００３】
　また、庭等にワンルームタイプのプレバブの部屋を建てるのに、これを遮音構造とすることで防音室を構成することも行われている。
　【０００４】
　【発明が解決しようとする課題】
　このように建物の部屋自体を遮音構造とするのでは、新築の際でも手間と費用がかかるのに、既設建物の部屋の改修工事となると非常なコスト高となる。
　【０００５】
　庭等にワンルームタイプのプレバブの部屋を建てるには、それだけのスペースを必要とし、１個建ての住居でなければ無理である。さらに、プレハブとはいえ土台等を必要とし、強度と雨水処理等の対策も必要である。
　【０００６】
　なお、プレバブでビス止めや釘止めで組み立てるものでは、組立作業が面倒で時間がかかり、また、防音効果も十分なものが期待できない。
　【０００７】
　本発明の目的は前記従来例の不都合を解消し、場所をとらず室内での使用が可能で、シンプルな構造であり、組立てや分解が簡単にでき、移動したり、使用後の片付けが容易に行え、しかも、耐久性に富み、防音効果も高い簡易スタジオを提供することにある。
　【０００８】
　【課題を解決するための手段】
　本発明は前記目的を達成するため、遮音性能を有するドアパネル、壁パネル、床パネル、天井パネルからなり、ドアパネルと壁パネルは相互に接合するものであるが、その接合面の一方に突起としての金属製のダボを突設し、他方にこのダボを嵌め入れるダボ穴を設け、前記ダボ穴を設けた側に鉤型または輪状の受け金具を取付け、他方、前記ダボを設けた側に受け金具に掛着して締結する締結金具を設け、これらダボ、ダボ穴、受け金具、締結金具は上下３個所とし、床パネルを囲むようにドアパネルと複数の壁パネルを相互にダボとダボ穴の嵌合、および、受け金具とこの受け金具に掛着して締結する締結金具との組み合わせで着脱自在に連結させ、天井パネルは換気孔を有するが、この換気孔には消音キャップを着脱自在に嵌め、これらドアパネル、壁パネルの上端で囲まれる部分に天井パネルを嵌込み載置したことを要旨とするものである。
　【０００９】
　【作用】
本発明によれば、床パネルを床に置き、これを囲むように複数の壁パネルを立てるが、これら複数の壁パネルは一方のダボを他方のダボ穴に嵌入させることで結合させ、かつ、一方の受け金具に他方の締結金具を掛着してワンタッチで固定できる。そして、天井パネルを水平に持ち上げて複数の壁パネルの上端に載せ、最後にドアパネルを壁パネルにダボとダボ穴の嵌合で結合させて立て掛け、受け金具とこの受け金具に掛着して締結する締結金具との組み合わせで固定すれば完成する。
　【００１０】
　【実施例】
　以下、本発明の実施例を図面について詳細に説明する。図１は本発明の簡易スタジオの第１実施例を示す分解斜視図、図２は同上横断平面図である。
　【００１１】
　先に構成部材について説明すると、内側面に拡散吸音スポンジ１やクロス吸音板１２などを貼設した遮音性能を有するパネルとして、ドアパネル２、壁パネル３、床パネル４、天井パネル５からなる。
　【００１２】
　ドアパネル２や壁パネル３はパネル幅が８７０ｍｍで厚さが３０ｍｍ、高さが１．８ｍ程度のもので、ドアパネル２のドア２ａには防音ガラスによるガラス窓２ｂを形成した。またドアパネル２のドア２ａの枠側で下方に空気孔６を設ける。
　【００１３】
　これらドアパネル２や壁パネル３は相互に接合するものであるが、図３、図４にも示すように、その接合面の一方に突起としての金属製のダボ７を突設し、他方にこのダボ７を嵌め入れるダボ穴８を設ける。また、この接合面には防音ゴム製のシール９をいずれか一方に貼設しておく。
　【００１４】
　さらに、ドアパネル２や壁パネル３は接合する組の一方、前記ダボ穴８を設けた側に鉤型または輪状の受け金具１０を取付け、他方、例えば前記ダボ７を設けた側に受け金具１０に掛着して締結する締結金具１１を設ける。この締結金具１１はバネ１１ａを備えたひき金１１ｂからなり、先端の固定部１１ｃを受け金具１０に引っ掛けてひき金１１ｂを下方に圧着するとしっかりと固定されるものである。
　【００１５】
　図示の例では、これらダボ７、ダボ穴８、受け金具１０、締結金具１１は上下３個所とする。
　【００１６】
　床パネル４は床面にクロス吸音板１２を貼設したもので、図８に示すように裏側に吸音板を貼った脚１３を形成した。
　【００１７】
　天井パネル５は換気孔１４を有するが、この換気孔１４には消音キャップ１５を着脱自在に嵌める。該消音キャップ１５内にはファンを内蔵させてもよい。また、図示は省略するが、天井パネル５に照明装置を取り付け、そのコードを壁パネル３を貫通させて外へ引き出すようにすることもできる。
　【００１８】
　次に使用法について説明する。床パネル４を床に置き、これを囲むように３枚の壁パネル３を立てるが、これら複数の壁パネル３は一方のダボ７を他方のダボ穴８に嵌入させることで各コーナーで結合させる。
　【００１９】
　さらに、一方の受け金具１０に他方の締結金具１１を掛着してワンタッチで固定する。
　【００２０】
　そして、天井パネル５を水平に持ち上げて壁パネル３の上端に載せる。この天井パネル５には予め消音キャップ１５を取り付けておいてもよい。
　【００２１】
　最後にドアパネル２を壁パネル３にダボ７とダボ穴８の嵌合で結合させて立て掛け、天井パネル５をこれらにしっかりとアジャストさせた上で、受け金具１０とこの受け金具１０に掛着して締結する締結金具１１との組み合わせでこのドアパネルと壁パネル３とを固定すれば、図７に示すような簡易スタジオが完成する。なお、消音キャップ１５は最後に取り付けてもよい。
　【００２２】
　このタイプの簡易スタジオは、スペースとしては０．５畳程度のものであり、ドラム練習パット、ボーカル等の練習を行うのに適するものである。ちなみに３０ｄＢ〜４０ｄＢの遮音値が得られる。
　【００２３】
　さらに、使用後は前記組立とは逆の手順で分解し、図８にあるように各パネルを重ねて収納できる。
　【００２４】
　図５、図６は本発明の第２実施例を示すもので、大きさが１畳程度に大きくなる場合である。壁パネル３の枚数が５枚となり、床パネル４、天井パネル５が倍の大きさになるだけで基本的な構成は前記第１実施例と同じである。図９に種々のパターンを示す。大きさは２畳程度まで拡大可能であり、ギター、サックス、トランペット、キーボード等の練習もできる。
　【００２５】
　【発明の効果】
　以上述べたように本発明の簡易スタジオは、場所をとらず、室内での使用が可能であり、また、シンプルな構造で、組立てや分解が簡単にでき、移動したり、使用後の片付けか容易に行え、しかも、耐久性に富み、防音効果も高いものである。
【図面の簡単な説明】
　【図１】
　本発明の簡易スタジオの第１実施例を示す分解斜視図である。
　【図２】
　本発明の簡易スタジオの第１実施例を示す横断平面図である。
　【図３】
　パネル相互の結合部で締結前の平面図である。
　【図４】
　パネル相互の結合部で締結後の平面図である。
　【図５】
本発明の簡易スタジオの第２実施例を示す分解斜視図である。
　【図６】